(57)【特許請求の範囲】
【請求項１】
多数の演奏曲のうちから選択される所定の演奏曲を出力させるカラオケ装置を遠隔操作するために、所定の映像を表示させると共に利用者の接触に応じて前記カラオケ装置への選曲入力を行うタッチパネルディスプレイを備えたカラオケ選曲入力装置であって、
前記タッチパネルディスプレイに、複数の頁が一辺に設けられた背において綴じられた、それら複数の頁に前記演奏曲の選曲入力に関する情報を５０音順に記載する早見本映像を表示させると共に、前記タッチパネルディスプレイによる該早見本映像における前記頁に相当する部分に対する接触操作に応じて該頁が順次めくられてゆくように前記早見本映像を変化させる早見本映像表示制御手段と、
該早見本映像表示制御手段により前記タッチパネルディスプレイに表示された前記早見本映像における前記頁の一部に対する接触操作に応じて、前記カラオケ装置に対して該頁に記載された演奏曲の選曲入力を行う選曲入力制御手段と、
前記カラオケ装置を用いてカラオケ演奏を行う利用者毎に個別の情報を記憶するデータベースから所定の通信回線を介して情報を取得する利用者情報取得制御手段と、
該利用者情報取得制御手段により取得される、前記データベースに記憶された各利用者毎の情報に応じて、前記タッチパネルディスプレイに表示された前記早見本映像における各頁の端辺であって前記背ではない一辺に付箋映像を表示させる付箋映像表示制御手段と
を、備え、
前記早見本映像表示制御手段は、前記タッチパネルディスプレイによる前記付箋映像に対する接触操作に応じて該付箋映像を表示させる元となった情報に対応する頁を表示させるように前記早見本映像を変化させるものである
ことを特徴とするカラオケ選曲入力装置。
【請求項２】
前記付箋映像表示制御手段は、前記データベースに記憶された各利用者毎の共演募集情報に応じて前記付箋映像を表示させるものであり、
前記早見本映像表示制御手段は、前記タッチパネルディスプレイによる前記付箋映像に対する接触操作に応じて前記共演募集情報に係る演奏曲の選曲入力に関する情報を記載する頁を表示させるように前記早見本映像を変化させるものである
請求項１に記載のカラオケ選曲入力装置。
【請求項３】
前記付箋映像表示制御手段は、前記データベースに記憶された各利用者毎の演奏予約情報に応じて前記付箋映像を表示させるものであり、
前記早見本映像表示制御手段は、前記タッチパネルディスプレイによる前記付箋映像に対する接触操作に応じて前記演奏予約情報に係る演奏曲の選曲入力に関する情報を記載する頁を表示させるように前記早見本映像を変化させるものである
請求項１に記載のカラオケ選曲入力装置。
【請求項４】
前記付箋映像表示制御手段は、前記データベースに記憶された各利用者毎の選曲履歴情報に応じて前記付箋映像を表示させるものであり、
前記早見本映像表示制御手段は、前記タッチパネルディスプレイによる前記付箋映像に対する接触操作に応じて前記選曲履歴情報に係る演奏曲の選曲入力に関する情報を記載する頁を表示させるように前記早見本映像を変化させるものである
請求項１に記載のカラオケ選曲入力装置。
【請求項５】
前記付箋映像表示制御手段は、前記データベースに記憶された各利用者毎の入曲リクエスト情報に応じて前記付箋映像を表示させるものであり、
前記早見本映像表示制御手段は、前記タッチパネルディスプレイによる前記付箋映像に対する接触操作に応じて前記入曲リクエスト情報に対応する演奏曲の選曲入力に関する情報を記載する頁を表示させるように前記早見本映像を変化させるものである
請求項１に記載のカラオケ選曲入力装置。
【請求項６】
前記付箋映像表示制御手段は、前記データベースに記憶された各利用者毎の携帯型音楽プレイヤに対する入曲履歴情報に応じて前記付箋映像を表示させるものであり、
前記早見本映像表示制御手段は、前記タッチパネルディスプレイによる前記付箋映像に対する接触操作に応じて前記入曲履歴情報に対応する演奏曲の選曲入力に関する情報を記載する頁を表示させるように前記早見本映像を変化させるものである
請求項１に記載のカラオケ選曲入力装置。
【請求項７】
多数の演奏曲のうちから選択される所定の演奏曲を出力させるカラオケ装置の遠隔操作装置として用いられる、所定の映像を表示させると共に利用者の接触に応じて無線による情報送信を行うタッチパネルディスプレイを備えた電子書籍リーダにおけるコンピュータを、
前記タッチパネルディスプレイに、複数の頁が一辺に設けられた背において綴じられた、それら複数の頁に前記演奏曲の選曲入力に関する情報を５０音順に記載する早見本映像を表示させると共に、前記タッチパネルディスプレイによる該早見本映像における前記頁に相当する部分に対する接触操作に応じて該頁が順次めくられてゆくように前記早見本映像を変化させる早見本映像表示制御手段、
該早見本映像表示制御手段により前記タッチパネルディスプレイに表示された前記早見本映像における前記頁の一部に対する接触操作に応じて、前記カラオケ装置に対して該頁に記載された演奏曲の選曲入力を行う選曲入力制御手段、
前記カラオケ装置を用いてカラオケ演奏を行う利用者毎に個別の情報を記憶するデータベースから所定の通信回線を介して情報を取得する利用者情報取得制御手段、
及び、該利用者情報取得制御手段により取得される、前記データベースに記憶された各利用者毎の情報に応じて、前記タッチパネルディスプレイに表示された前記早見本映像における各頁の端辺であって前記背ではない一辺に付箋映像を表示させる付箋映像表示制御手段
として機能させるカラオケ選曲入力プログラムであり、
前記早見本映像表示制御手段は、前記タッチパネルディスプレイによる前記付箋映像に対する接触操作に応じて該付箋映像を表示させる元となった情報に対応する頁を表示させるように前記早見本映像を変化させるものである
ことを特徴とするカラオケ選曲入力プログラム。
【発明の詳細な説明】
【技術分野】
【０００１】
本発明は、多数の演奏曲のうちから選択される所定の演奏曲を出力させるカラオケ装置に対して選曲入力を行うカラオケ選曲入力装置及びカラオケ選曲入力プログラムに関する。
【背景技術】
【０００２】
多数の演奏曲のうちから選択される所定の演奏曲を出力させる音楽再生装置が知られている。例えば、カラオケボックス等で使用されるカラオケ装置がそれである。斯かるカラオケ装置によれば、予め記憶装置に記憶された多数のカラオケ演奏曲から選択された所定のカラオケ演奏曲の音楽情報を出力させると共に、そのカラオケ演奏曲の歌詞情報を含む映像をその出力に同期して画面に表示させることで、所望の歌のカラオケ演奏を楽しむことができる。
【０００３】
斯かるカラオケ装置を遠隔操作するために、所定の映像を表示させると共に利用者の接触に応じてそのカラオケ装置への入力を行うタッチパネルディスプレイを備えた電子早見本装置が知られている。例えば、特許文献１に記載された電子目次本機能付きカラオケリモコン装置がそれである。この技術によれば、上記タッチパネルディスプレイに表示される映像を参照しつつ、利用者の指や備え付けのペン等によりそのタッチパネルディスプレイに接触（タッチ入力）することにより簡便に上記カラオケ装置への入力を行うことができる。
【０００４】
【特許文献１】特開２００３−２０２８７２号公報
【０００５】
ところで、前記タッチパネルディスプレイを備えた電子早見本装置は普及の一途をたどり、昨今においてはカラオケボックスをはじめとする店舗等において極めて普通に用いられるに至ったが、旧来用いられてきた、複数の頁が一辺に設けられた背において綴じられた、それら複数の頁に前記演奏曲の選曲番号等の情報を５０音順に記載する早見本すなわち紙媒体早見本（アナログ早見本）にも未だ根強い需要がみられる。これは、前記カラオケ装置に対する電子早見本装置の台数が例えば１対１というように少ない場合が多いことも理由のひとつとしてあげられるものと思われるが、頁を一枚一枚めくってゆくうちに期せずして懐かしい曲が目に付いたり、カラオケ演奏できるとは思っていなかったマイナーな演奏曲が選曲可能であることを知ることができたりといったような紙媒体早見本ならではの利点が存在するためであると推察される。一方、前記電子早見本装置は、例えば演奏曲の曲名や歌手名の先頭の数文字を入力しただけで即座にその演奏曲を検索できることに加え、選曲番号を入力する手間なしに前記カラオケ装置に対する選曲入力を行うことができるというように、紙媒体早見本にはない利便性を有している。本発明者は、新たなカラオケ選曲入力装置の可能性を模索し鋭意研究を継続してきた一結果として、紙媒体早見本の利点と電子早見本装置の利便性とを併せ持つ新たなカラオケ選曲入力装置を発案するに至った。
【発明の開示】
【発明が解決しようとする課題】
【０００６】
本発明は、以上の事情を背景として為されたものであり、その目的とするところは、紙媒体早見本の利点と電子早見本装置の利便性とを併せ持つ新たなカラオケ選曲入力装置及びカラオケ選曲入力プログラムを提供することにある。
【課題を解決するための手段】
【０００７】
斯かる目的を達成するために、本第１発明の要旨とするところは、多数の演奏曲のうちから選択される所定の演奏曲を出力させるカラオケ装置を遠隔操作するために、所定の映像を表示させると共に利用者の接触に応じて前記カラオケ装置への選曲入力を行うタッチパネルディスプレイを備えたカラオケ選曲入力装置であって、前記タッチパネルディスプレイに、複数の頁が一辺に設けられた背において綴じられた、それら複数の頁に前記演奏曲の選曲入力に関する情報を５０音順に記載する早見本映像を表示させると共に、前記タッチパネルディスプレイによるその早見本映像における前記頁に相当する部分に対する接触操作に応じてその頁が順次めくられてゆくように前記早見本映像を変化させる早見本映像表示制御手段と、その早見本映像表示制御手段により前記タッチパネルディスプレイに表示された前記早見本映像における前記頁の一部に対する接触操作に応じて、前記カラオケ装置に対してその頁に記載された演奏曲の選曲入力を行う選曲入力制御手段と、前記カラオケ装置を用いてカラオケ演奏を行う利用者毎に個別の情報を記憶するデータベースから所定の通信回線を介して情報を取得する利用者情報取得制御手段と、その利用者情報取得制御手段により取得される、前記データベースに記憶された各利用者毎の情報に応じて、前記タッチパネルディスプレイに表示された前記早見本映像における各頁の端辺であって前記背ではない一辺に付箋映像を表示させる付箋映像表示制御手段とを、備え、前記早見本映像表示制御手段は、前記タッチパネルディスプレイによる前記付箋映像に対する接触操作に応じてその付箋映像を表示させる元となった情報に対応する頁を表示させるように前記早見本映像を変化させることを特徴とするものである。
【０００８】
また、前記目的を達成するために、本第２発明の要旨とするところは、多数の演奏曲のうちから選択される所定の演奏曲を出力させるカラオケ装置の遠隔操作装置として用いられる、所定の映像を表示させると共に利用者の接触に応じて無線による情報送信を行うタッチパネルディスプレイを備えた電子書籍リーダにおけるコンピュータを、前記タッチパネルディスプレイに、複数の頁が一辺に設けられた背において綴じられた、それら複数の頁に前記演奏曲の選曲入力に関する情報を５０音順に記載する早見本映像を表示させると共に、前記タッチパネルディスプレイによるその早見本映像における前記頁に相当する部分に対する接触操作に応じてその頁が順次めくられてゆくように前記早見本映像を変化させる早見本映像表示制御手段、その早見本映像表示制御手段により前記タッチパネルディスプレイに表示された前記早見本映像における前記頁の一部に対する接触操作に応じて、前記カラオケ装置に対してその頁に記載された演奏曲の選曲入力を行う選曲入力制御手段、前記カラオケ装置を用いてカラオケ演奏を行う利用者毎に個別の情報を記憶するデータベースから所定の通信回線を介して情報を取得する利用者情報取得制御手段、及び、その利用者情報取得制御手段により取得される、前記データベースに記憶された各利用者毎の情報に応じて、前記タッチパネルディスプレイに表示された前記早見本映像における各頁の端辺であって前記背ではない一辺に付箋映像を表示させる付箋映像表示制御手段として機能させるカラオケ選曲入力プログラムであり、前記早見本映像表示制御手段は、前記タッチパネルディスプレイによる前記付箋映像に対する接触操作に応じてその付箋映像を表示させる元となった情報に対応する頁を表示させるように前記早見本映像を変化させることを特徴とするカラオケ選曲入力プログラムである。
【発明の効果】
【０００９】
このように、前記第１発明によれば、前記タッチパネルディスプレイに、複数の頁が一辺に設けられた背において綴じられた、それら複数の頁に前記演奏曲の選曲入力に関する情報を５０音順に記載する早見本映像を表示させると共に、前記タッチパネルディスプレイによるその早見本映像における前記頁に相当する部分に対する接触操作に応じてその頁が順次めくられてゆくように前記早見本映像を変化させる早見本映像表示制御手段と、その早見本映像表示制御手段により前記タッチパネルディスプレイに表示された前記早見本映像における前記頁の一部に対する接触操作に応じて、前記カラオケ装置に対してその頁に記載された演奏曲の選曲入力を行う選曲入力制御手段と、前記カラオケ装置を用いてカラオケ演奏を行う利用者毎に個別の情報を記憶するデータベースから所定の通信回線を介して情報を取得する利用者情報取得制御手段と、その利用者情報取得制御手段により取得される、前記データベースに記憶された各利用者毎の情報に応じて、前記タッチパネルディスプレイに表示された前記早見本映像における各頁の端辺であって前記背ではない一辺に付箋映像を表示させる付箋映像表示制御手段とを、備え、前記早見本映像表示制御手段は、前記タッチパネルディスプレイによる前記付箋映像に対する接触操作に応じてその付箋映像を表示させる元となった情報に対応する頁を表示させるように前記早見本映像を変化させるものであることから、頁を一枚一枚めくることによる紙媒体早見本ならではの利点と、選曲番号を入力する手間無しに選曲入力が可能である電子早見本装置の利便性とを両立させることができる。また、頁を一枚一枚めくることによる紙媒体早見本ならではの利点を損なうことなく、前記データベースから読み出される利用者毎の情報に応じて所定の頁を即座に開く利便性を付与することができる。すなわち、紙媒体早見本の利点と電子早見本装置の利便性とを併せ持つ新たなカラオケ選曲入力装置を提供することができる。
【００１１】
ここで、前記第１発明において、好適には、前記付箋映像表示制御手段は、前記データベースに記憶された各利用者毎の共演募集情報に応じて前記付箋映像を表示させるものであり、前記早見本映像表示制御手段は、前記タッチパネルディスプレイによる前記付箋映像に対する接触操作に応じて前記共演募集情報に係る演奏曲の選曲入力に関する情報を記載する頁を表示させるように前記早見本映像を変化させるものである。このようにすれば、頁を一枚一枚めくることによる紙媒体早見本ならではの利点を損なうことなく、前記データベースから読み出される共演を募集している演奏曲を記載する頁を即座に開く利便性を付与することができる。
【００１２】
また、好適には、前記付箋映像表示制御手段は、前記データベースに記憶された各利用者毎の演奏予約情報に応じて前記付箋映像を表示させるものであり、前記早見本映像表示制御手段は、前記タッチパネルディスプレイによる前記付箋映像に対する接触操作に応じて前記演奏予約情報に係る演奏曲の選曲入力に関する情報を記載する頁を表示させるように前記早見本映像を変化させるものである。このようにすれば、頁を一枚一枚めくることによる紙媒体早見本ならではの利点を損なうことなく、前記データベースから読み出される各利用者が演奏しようと思って予約しておいた演奏曲を記載する頁を即座に開く利便性を付与することができる。
【００１３】
また、好適には、前記付箋映像表示制御手段は、前記データベースに記憶された各利用者毎の選曲履歴情報に応じて前記付箋映像を表示させるものであり、前記早見本映像表示制御手段は、前記タッチパネルディスプレイによる前記付箋映像に対する接触操作に応じて前記選曲履歴情報に係る演奏曲の選曲入力に関する情報を記載する頁を表示させるように前記早見本映像を変化させるものである。このようにすれば、頁を一枚一枚めくることによる紙媒体早見本ならではの利点を損なうことなく、前記データベースから読み出される各利用者が過去に演奏したことがある演奏曲を記載する頁を即座に開く利便性を付与することができる。
【００１４】
また、好適には、前記付箋映像表示制御手段は、前記データベースに記憶された各利用者毎の入曲リクエスト情報に応じて前記付箋映像を表示させるものであり、前記早見本映像表示制御手段は、前記タッチパネルディスプレイによる前記付箋映像に対する接触操作に応じて前記入曲リクエスト情報に対応する演奏曲の選曲入力に関する情報を記載する頁を表示させるように前記早見本映像を変化させるものである。このようにすれば、頁を一枚一枚めくることによる紙媒体早見本ならではの利点を損なうことなく、前記データベースから読み出される各利用者が入曲リクエストを行った演奏曲を記載する頁を即座に開く利便性を付与することができる。
【００１５】
また、好適には、前記付箋映像表示制御手段は、前記データベースに記憶された各利用者毎の携帯型音楽プレイヤに対する入曲履歴情報に応じて前記付箋映像を表示させるものであり、前記早見本映像表示制御手段は、前記タッチパネルディスプレイによる前記付箋映像に対する接触操作に応じて前記入曲履歴情報に対応する演奏曲の選曲入力に関する情報を記載する頁を表示させるように前記早見本映像を変化させるものである。このようにすれば、頁を一枚一枚めくることによる紙媒体早見本ならではの利点を損なうことなく、前記データベースから読み出される各利用者が携帯型音楽プレイヤに入曲した演奏曲を記載する頁を即座に開く利便性を付与することができる。
【００１６】
また、前記第２発明によれば、前記カラオケ装置の遠隔操作装置として用いられる電子書籍リーダにおけるコンピュータを、前記タッチパネルディスプレイに、複数の頁が一辺に設けられた背において綴じられた、それら複数の頁に前記演奏曲の選曲入力に関する情報を５０音順に記載する早見本映像を表示させると共に、前記タッチパネルディスプレイによるその早見本映像における前記頁に相当する部分に対する接触操作に応じてその頁が順次めくられてゆくように前記早見本映像を変化させる早見本映像表示制御手段、その早見本映像表示制御手段により前記タッチパネルディスプレイに表示された前記早見本映像における前記頁の一部に対する接触操作に応じて、前記カラオケ装置に対してその頁に記載された演奏曲の選曲入力を行う選曲入力制御手段、前記カラオケ装置を用いてカラオケ演奏を行う利用者毎に個別の情報を記憶するデータベースから所定の通信回線を介して情報を取得する利用者情報取得制御手段、及び、その利用者情報取得制御手段により取得される、前記データベースに記憶された各利用者毎の情報に応じて、前記タッチパネルディスプレイに表示された前記早見本映像における各頁の端辺であって前記背ではない一辺に付箋映像を表示させる付箋映像表示制御手段として機能させるカラオケ選曲入力プログラムであり、前記早見本映像表示制御手段は、前記タッチパネルディスプレイによる前記付箋映像に対する接触操作に応じてその付箋映像を表示させる元となった情報に対応する頁を表示させるように前記早見本映像を変化させるものであることから、頁を一枚一枚めくることによる紙媒体早見本ならではの利点と、選曲番号を入力する手間無しに選曲入力が可能である電子早見本装置の利便性とを両立させることができる。また、頁を一枚一枚めくることによる紙媒体早見本ならではの利点を損なうことなく、前記データベースから読み出される利用者毎の情報に応じて所定の頁を即座に開く利便性を付与することができる。すなわち、紙媒体早見本の利点と電子早見本装置の利便性とを併せ持つ新たなカラオケ選曲入力プログラムを提供することができる。
【図面の簡単な説明】
【００１７】
【図１】本発明のカラオケ選曲入力装置が好適に用いられるカラオケシステムを説明する概略図である。
【図２】図１のカラオケシステムに備えられたカラオケ装置の構成を例示するブロック線図である。
【図３】図１のカラオケシステムに備えられたサーバ装置の構成を例示するブロック線図である。
【図４】本発明の一実施例であるカラオケ選曲入力装置の構成を説明するブロック線図である。
【図５】図４のカラオケ選曲入力装置におけるＣＰＵに備えられた制御機能の要部を説明する機能ブロック線図である。
【図６】図４のカラオケ選曲入力装置におけるタッチパネルディスプレイに表示される早見本映像を例示する図であり、アプリケーションソフト起動時等においてその早見本映像が閉じられている様子を示す図である。
【図７】図４のカラオケ選曲入力装置におけるタッチパネルディスプレイに表示される早見本映像を例示する図であり、その早見本映像における所定の頁が開かれている様子を示す図である。
【図８】図６に示す早見本映像に複数の付箋映像が付された映像を例示する図である。
【図９】図６に示す早見本映像に、それぞれ元となった情報の種類を示す記号を付した複数の付箋映像が付された映像を例示する図である。
【図１０】図６に示す早見本映像に、それぞれ元となった情報に対応する利用者のアバタの顔部分を付した複数の付箋映像が付された映像を例示する図である。
【図１１】図８に示す早見本映像において、タッチパネルディスプレイによる付箋映像に対する接触操作に応じて、その付箋映像を表示させる元となった情報がその付箋映像に付加的に表示された様子を示す図である。
【図１２】図４に示すカラオケ選曲入力装置のＣＰＵによる早見本映像表示制御及び選曲入力制御の要部を説明するフローチャートである。
【発明を実施するための形態】
【００１８】
以下、本発明の好適な実施例を図面に基づいて詳細に説明する。
【実施例】
【００１９】
図１は、本発明のカラオケ選曲入力装置が好適に用いられるカラオケシステム１０を説明する概略図である。この図１に示すように、上記カラオケシステム１０では、カラオケボックス、スナック、旅館等の店舗１２における複数の個室１４ａ、１４ｂ、１４ｃ、・・・（以下、特に区別しない場合には単に個室１４と称する）にそれぞれ１台乃至は複数台ずつ（図１では１台ずつ）のカラオケ装置１６ａ、１６ｂ、１６ｃ、・・・（以下、特に区別しない場合には単にカラオケ装置１６と称する）が設置されている。これら複数のカラオケ装置１６は、ルータ２８を介して通信回線１８に接続されており、同じくその通信回線１８に接続されたカラオケサービス提供会社のサーバ装置（センタ装置）２０との相互間でその通信回線１８を介して情報の通信が可能とされている。この通信回線１８は、例えば公衆電話回線、ＡＤＳＬ回線、或いは光ファイバ回線等から構成されるＷＷＷ（World Wide Web）等のインターネットに接続されたものであるが、上記カラオケシステム１０に関する情報通信のみに用いられる専用回線であってもよい。
【００２０】
上記サーバ装置２０は、カラオケ情報（楽曲データ）、背景映像情報、曲間情報等のデジタルコンテンツ（Digital Contents）の保管や入出力管理の基本的な制御を行うサーバであり、上記通信回線１８を介して上記カラオケ装置１６に定期的にコンテンツの配信を行うと共に、そのカラオケ装置１６からの要求に応じて所定の機能制御プログラムを送信するものである。また、上記カラオケシステム１０は、複数の電子早見本装置２２ａ、２２ｂ、２２ｃ、・・・（以下、特に区別しない場合には単に電子早見本装置２２と称する）を備えており、上記カラオケ装置１６の利用に際して、各利用者（グループ）毎に１台乃至数台ずつの電子早見本装置２２が貸与され、各個室１４において後述するように上記カラオケ装置１６の遠隔操作装置として用いられるようになっている。上記店舗１２内には上記複数のカラオケ装置１６を相互に接続するＬＡＮ２４が敷設されており、上記電子早見本装置２２からのカラオケ装置１６への入力は、所定のアクセスポイント２６及びＬＡＮ２４を介したＬＡＮ通信等により行われる。なお、後述するように、上記電子早見本装置２２に本発明のカラオケ選曲入力プログラムが適用される態様も考えられるため、その電子早見本装置２２は、本発明の一実施例であるカラオケ選曲入力装置として機能し得る。
【００２１】
図２は、上記カラオケ装置１６の構成を例示するブロック線図である。この図２に示すように、上記カラオケ装置１６は、ＣＲＴ（Cathode-ray Tube）やＴＦＴ（Thin Film Transistor Liquid Crystal）等の映像表示装置３０と、ビデオボード（グラフィックスボード）等の映像出力制御部３２と、映像情報デコーダ３４と、ビデオミキサ３６と、音源であるシンセサイザ３８と、音声入力装置であるマイクロフォン４０と、アンプミキサ４２と、スピーカ４４と、操作パネル４６と、その操作パネル４６等からの入力信号を処理する入出力インターフェイス４８と、中央演算処理装置であるＣＰＵ５０と、読出専用メモリであるＲＯＭ５２と、随時書込読出メモリであるＲＡＭ５４と、記憶装置であるハードディスク５６と、モデム５８と、ＬＡＮポート６０と、上記電子早見本装置２２や後述するカラオケ選曲入力装置１００等の入力装置からの赤外線信号（リモコン信号）を受信するための赤外線受信部６２とを、備えて構成されている。
【００２２】
前記映像出力制御部３２は、前記ＣＰＵ５０において生成された歌詞文字映像等の文字映像（テロップ）を出力する文字映像出力装置として機能する他、前記映像表示装置３０による種々の映像表示を制御する表示制御装置である。また、前記映像情報デコーダ３４は、利用者が歌詞を参照しながら歌唱する際に前記ハードディスク５６に記憶された背景映像情報に基づいて所定の背景映像を再生（デコード）する背景映像再生装置である。この背景映像情報は、例えば、ＭＰＥＧ（Moving Picture Experts Group）形式のデータであり、そのＭＰＥＧデータに基づいて前記映像情報デコーダ３４により再生された背景映像は、前記ビデオミキサ３６へ送られる。また、そのビデオミキサ３６は、前記ＣＰＵ５０において生成され且つ前記映像出力制御部３２から出力される文字映像と、前記映像情報デコーダ３４により再生される背景映像とを合成して前記映像表示装置３０に表示させる映像合成装置である。
【００２３】
前記シンセサイザ３８は、前記ハードディスク５６から読み出されて送られて来るカラオケ演奏曲の演奏情報に基づいて楽器の演奏信号等の音楽信号を生成する音源である。この演奏情報は、例えば、ＭＩＤＩ（Musical Instrument Digital Interface）形式のデータであり、そのＭＩＤＩデータに基づいて前記シンセサイザ３８により生成された音楽信号は、アナログ信号に変換されて前記アンプミキサ４２へ送られる。そのアンプミキサ４２では、送られてきた音楽信号と前記マイクロフォン４０を介して入力される利用者（演奏者）の歌声とがミキシングされ、それらの信号が電気的に増幅されて前記スピーカ４４から出力される。
【００２４】
前記操作パネル４６は、前記カラオケ装置１６の利用者が歌いたいカラオケ演奏曲を選択したり、演奏曲の音程を調整したり、演奏と歌との音量バランスを調整したり、その他、エコー、音量、トーン等の各種調整を行うための操作ボタン（スイッチ）或いはつまみを備えた入力装置である。また、例えば前記赤外線受信部６２を介しての赤外線通信により前記カラオケ装置１６と対応付け（くくりつけ）られた電子早見本装置２２は、無線通信によりそのカラオケ装置１６の入力操作を行う入力装置（遠隔操作装置）として機能する。また、本発明の一実施例であるカラオケ選曲入力装置１００も同様に前記カラオケ装置１６の入力装置（遠隔操作装置）として機能するものであり、前記赤外線受信部６２は、そのカラオケ選曲入力装置１００から送信される赤外線信号（リモコン信号）を受信して前記ＣＰＵ５０へ供給する。なお、前記電子早見本装置２２等の他に、例えば選曲番号を入力するための複数の数字ボタンを備えたリモコン装置が備えられたものであってもよい。
【００２５】
前記ＣＰＵ５０は、前記ＲＡＭ５４の一時記憶機能を利用しつつ前記ＲＯＭ５２に予め記憶された所定のプログラムに基づいて電子情報を処理・制御する所謂マイクロコンピュータであり、前記電子早見本装置２２やカラオケ選曲入力装置１００等により所定のカラオケ演奏曲が選曲された場合、その選曲されたカラオケ演奏曲を前記ＲＡＭ５４に設けられた予約曲テーブルに登録したり、その予約曲テーブルの演奏順に従って前記ハードディスク５６から前記ＲＡＭ５４に選曲されたカラオケ演奏曲の演奏情報及び歌詞情報等を読み出したり、カラオケ演奏曲の演奏が進行するのに応じてそのＲＡＭ５４から前記シンセサイザ３８へ演奏情報を送信したり、歌詞情報に基づいて歌詞文字映像を生成して前記映像出力制御部３２へ送ったり、選曲時には曲名文字映像を生成して前記映像出力制御部３２へ送ったり、前記映像情報デコーダ３４を制御して所定の背景映像を再生させたり、カラオケ演奏が行われていない間すなわち曲間において、新譜情報、選曲ランキング、店舗広告等の曲間情報を出力させたり、前記通信回線１８を介した前記サーバ装置２０との間の情報通信制御等の各種制御を実行する。
【００２６】
前記モデム５８は、前記カラオケ装置１６を公衆電話回線等による通信回線１８に接続するための装置であり、前記ＣＰＵ５０から出力されるディジタル信号をアナログ信号に変換して前記通信回線１８に送り出すと共に、その通信回線１８を介して伝送されるアナログ信号をディジタル信号に変換して前記ＣＰＵ５０に供給する処理を行う。なお、前記店舗１２に備えられた複数のカラオケ装置１６のうち何れかのカラオケ装置１６が前記ルータ２８の機能を備えてマスターコマンダとして前記通信回線１８に接続される態様も考えられ、その場合、前記モデム５８はそのマスターコマンダとして機能するカラオケ装置１６には必要とされるが、そのマスターコマンダを介して前記サーバ装置２０との間で情報の通信を行う他のカラオケ装置１６には必ずしも設けられなくともよい。
【００２７】
前記ＬＡＮポート６０は、前記カラオケ装置１６をＬＡＮ２４を介して他のカラオケ装置１６や電子早見本装置２２等の他の機器に接続するための接続器であり、前記カラオケ装置１６は、そのようにＬＡＮ２４を介して接続されることで、他のカラオケ装置１６や電子早見本装置２２等の他の機器との間で情報の送受信が可能とされる。例えば、前記アクセスポイント２６を介して受信される前記電子早見本装置２２からの選曲入力を受け付けて前記ＲＡＭ５４に設けられた予約曲テーブルに記憶したり、そのアクセスポイント２６を介して前記カラオケ装置１６から電子早見本装置２２へ所定の情報を送信したりというように、電波を介して前記カラオケ装置１６と電子早見本装置２２との間における相互の情報のやりとりが実行される。
【００２８】
前記ハードディスク５６には、カラオケ演奏曲を出力させるための多数の楽曲データ（カラオケデータ）を記憶する楽曲データベースをはじめとする各種データベースが設けられている。カラオケボックス等の店舗にそれぞれ備えられた複数のカラオケ装置１６のうち所定のカラオケ装置１６例えば前記カラオケ装置１６ａは、前記モデム５８を介して前記通信回線１８に接続されており、前記複数のカラオケ装置１６によって常に新しい曲が演奏可能とされるように、随時新たな楽曲データ等が前記サーバ装置２０から前記通信回線１８を介して配信され、前記ハードディスク５６の楽曲データベース等に記憶される。また、そのようにして前記サーバ装置２０から情報を取得したカラオケ装置１６ａとその他のカラオケ装置１６との間で前記ＬＡＮ２４を介した通信が行われることにより、各カラオケ装置１６のハードディスク５６に記憶される情報が共有され、上記楽曲データベース等の内容が等価なものとされる。
【００２９】
上記楽曲データベースは、前記カラオケ装置１６により出力可能な演奏曲にそれぞれ対応する多数（例えば、数万曲分）の楽曲データ（カラオケデータ）を記憶する。この楽曲データは、前記シンセサイザ３８により所定の楽器の演奏音を生成するための例えばＭＩＤＩデータ等の演奏情報と、歌詞文字映像（歌詞テロップ）を生成するための歌詞情報と、その歌詞情報に基づいて生成された歌詞文字映像を演奏の進行に合わせて順次色替わりさせてゆくための歌詞色替情報とを、含むものであり、コンテンツＩＤである各演奏曲に固有の選曲番号により識別される。
【００３０】
図３は、前記サーバ装置２０の構成を説明するブロック線図である。この図３に示すように、前記サーバ装置２０は、中央演算処理装置であるＣＰＵ７０により随時書込読出メモリであるＲＡＭ７４の一時記憶機能を利用しつつ読出専用メモリであるＲＯＭ７２に予め記憶されたプログラムに従って信号処理を行う所謂ノイマン型コンピュータであり、前記カラオケ装置１６からの配信要求に応じた楽曲データ等のコンテンツ配信制御をはじめとする基本的な制御に加えて、前記カラオケシステム１０の利用者を対象とするソーシャルネットワークサービス（Social Network Service）を管理運営する制御等、本実施例のカラオケシステム１０に関する各種制御を実行する。このソーシャルネットワークサービスとは、例えば、予め会員登録された会員相互間に限定して情報の閲覧等のサービスを提供する会員制のコミュニティ型のウェブサイトをいう。なお、以下の説明において、ソーシャルネットワークサービスをＳＮＳと略称する。
【００３１】
前記サーバ装置２０は、ビデオボード７８により制御されるＣＲＴやＴＦＴ等の映像表示装置７６と、インターフェイス８２を介して接続されるキーボード等の入力装置８０と、上記ＣＰＵ７０を前記通信回線１８に接続するための装置であるモデム８４とを、備えて構成されている。前記サーバ装置２０は、このモデム８４を介して前記通信回線１８に接続されることにより、その通信回線１８に接続された前記複数のカラオケ装置１６やカラオケ選曲入力装置１００等との間で相互に情報の送受信が可能とされている。また、前記サーバ装置２０には、前記カラオケ装置１６に配信するための多数の前記カラオケデータを記憶する図示しない楽曲データベースの他、上記ＳＮＳに関する情報を記憶するＳＮＳデータベース８６等の各種データベースが設けられている。
【００３２】
上記ＳＮＳデータベース８６は、前記カラオケシステム１０を利用する各利用者（演奏者）毎の、前記カラオケ装置１６を用いたカラオケ演奏に関する情報を、その利用者の識別情報（ユーザＩＤ）と関連付けて記憶する記憶装置である。このＳＮＳデータベース８６には、各利用者毎に、その利用者の名前（ニックネーム）、生年月日、年齢、性別、メールアドレス、地域、血液型、星座、パスワードを忘れたときのための質問及び解答、アバタ（ネット上において利用者を象徴する人型映像）に関する情報、及びＳＮＳへのログイン認証に用いられるパスワード等の属性情報がその利用者のユーザＩＤと関連付けられて記憶される。また、各利用者の前記カラオケ装置１６を用いたカラオケ演奏に関する情報として、例えば、来店履歴、選曲履歴、十八番曲、演奏予約、演奏評価、共演募集、入曲リクエスト、携帯型音楽プレイヤに対する入曲履歴、及びフレンドに関する情報等が各利用者毎にその利用者のユーザＩＤと関連付けられて記憶されるようになっている。
【００３３】
前記ＳＮＳデータベース８６に記憶される来店履歴は、各利用者が過去に利用したカラオケ装置１６に対応する店舗１２（そのカラオケ装置１６が設置された店舗１２）に関する情報である。また、選曲履歴は、各利用者が過去に前記カラオケ装置１６によるカラオケ演奏において選曲した演奏曲（カラオケ装置１６において過去に選曲された演奏曲）に関する情報である。また、十八番曲は、各利用者が前記カラオケ装置１６によるカラオケ演奏において十八番曲として登録した演奏曲（簡易な操作により選曲入力を行い得るように設定された演奏曲）に関する情報である。また、演奏予約は、各利用者が前記カラオケ装置１６により近い将来に演奏する曲として登録した選曲予約（電子早見本装置２２等により簡単な操作で選曲入力を行い得るように設定された演奏曲）としての演奏曲に関する情報である。また、演奏評価は、各利用者が前記カラオケ装置１６によるカラオケ演奏において過去に行った演奏評価の評価結果に関する情報である。また、共演募集は、各利用者が前記カラオケシステム１０を利用する他の利用者に対して所定の演奏曲に対応する共演動画（コラボ動画）に係るカラオケ演奏への参加を呼びかける情報である。この共演動画とは、複数（好適には１組）の利用者が前記カラオケ装置１６において共通の演奏曲に係るカラオケ演奏を行うと共に、そのカラオケ演奏を行う様子を撮影し、撮影された映像情報を組み合わせて共演映像情報を編集し、前記カラオケ装置のみならずパーソナルコンピュータ等の通信端末装置により閲覧可能とするものである。また、入曲リクエストは、各利用者が前記カラオケ装置１６への新規登録曲（新曲）としてリクエストした（入曲されることを支持する投票を行った）演奏曲に関する情報である。また、携帯型音楽プレイヤに対する入曲履歴とは、前記カラオケシステム１０乃至そのカラオケシステム１０と連動する音楽情報配信システムにおいて、各利用者に対して配信（ダウンロード）された携帯電話機の着信メロディ情報や携帯型音楽プレイヤのコンテンツ（ＭＰ３データ等の音楽データ）の配信履歴（ダウンロード履歴）である。また、前記ＳＮＳデータベース８６に記憶されるフレンドに関する情報は、各利用者がフレンドとして登録した他の利用者のユーザＩＤ乃至それらの利用者に関する名前（ニックネーム）等の各種情報である。
【００３４】
前記サーバ装置２０のＣＰＵ７０は、前記カラオケシステム１０におけるＳＮＳに関する情報登録制御を行う。具体的には、前記カラオケ１６の入力装置としての前記電子早見本装置２２等による入力操作に応じて、前記ＳＮＳデータベース８６に新規ユーザ（利用者）の登録を行ったり、そのＳＮＳデータベース８６に記憶された登録内容を変更（更新）したり、そのＳＮＳデータベース８６に記憶された複数の利用者をフレンドとして相互に関連付けて登録したり、前記カラオケ装置１６による評価結果を各利用者毎に記憶したりというように、前記カラオケシステム１０におけるＳＮＳの統括的な管理制御を行う。また、好適には、前記ＳＮＳデータベースにおける新規ユーザの登録、登録内容の変更、及びフレンド登録等は、インターネット等を介して前記サーバ装置２０に接続された図示しないパーソナルコンピュータ（家庭用パソコン）等による入力操作に応じても行われる。
【００３５】
図４は、本発明の一実施例であるカラオケ選曲入力装置１００の構成を説明するブロック線図である。この図４に示すように、本実施例のカラオケ選曲入力装置１００は、所定の画像（映像）を表示させると共に、利用者の接触に応じて入力を行うためのタッチパネルディスプレイ１０２を備えている。このタッチパネルディスプレイ１０２は、そのタッチパネルディスプレイ１０２に所定の映像を表示させる表示装置１０４と、その表示装置１０４による表示を制御する表示制御部１０６と、利用者の指や図示しない備え付けのペン等によるタッチパネルディスプレイ１０２への接触により入力を行うタッチパネル１０８と、そのタッチパネル１０８による入力を制御する入力制御部１１０とを、備えている。このカラオケ選曲入力装置１００は、例えば、前記カラオケ装置１６の遠隔操作装置として用いられる一方、所定の形式の電子書籍ファイルに基づいて上記タッチパネルディスプレイ１０２にその電子書籍ファイルのテキストを表示させる所謂電子書籍リーダであるが、前記カラオケ装置１６に専用の入力装置であっても構わない。
【００３６】
また、上記カラオケ選曲入力装置１００は、中央演算処理装置であるＣＰＵ１１２と、読出専用メモリであるＲＯＭ１１４と、随時書込読出メモリであるＲＡＭ１１６と、フラッシュＲＯＭ等の記憶部１１８と、赤外線送信部１２０と、通信部１２２とを、備えて構成されている。上記ＣＰＵ１１２は、上記ＲＡＭ１１６の一時記憶機能を利用しつつ上記ＲＯＭ１１４に記憶された情報に基づいて情報処理を実行する所謂マイクロコンピュータであり、上記表示制御部１０６を介して前記タッチパネルディスプレイ１０２（表示装置１０４）に所定の映像を表示させたり、その映像に基づく前記タッチパネルディスプレイ１０２（タッチパネル１０８）への接触により上記入力制御部１１０を介して入力される入力信号を処理したり、その入力信号に基づき上記赤外線送信部１２０等を介して前記カラオケ装置１６へ選曲入力をはじめとする入力送信を行う等といった基本的な制御に加えて、後述する本実施例の早見本映像表示制御等の各種制御を実行する。
【００３７】
前記赤外線送信部１２０は、前記ＣＰＵ１１２等により符号化された信号を赤外線信号（リモコン信号）として送信する装置であり、例えば前記カラオケ装置１０に対する選曲入力に係る信号を赤外線信号として送信する。また、前記通信部１２２は、無線により情報の送受信を行う装置であり、例えば図示しない基地局を介して前記通信回線１８に接続可能とされている。すなわち、前記通信部１２２は、好適には、前記通信回線１８に接続された前記カラオケ装置１６やサーバ装置２０等に対して情報を送信すると共に、それらカラオケ装置１６やサーバ装置２０から送信された情報を受信する無線通信装置である。また、上記記憶部８６には、演奏曲データベース１２８が設けられている。この演奏曲データベース１２８には、前記カラオケ装置１６の楽曲データベースに記憶された多数のカラオケ情報（すなわち、カラオケ装置１６において選曲可能な多数の演奏曲）それぞれに対応して曲名、アーティスト名（歌手名）、ジャンル等の属性情報、歌詞の歌い出し部分等の選曲案内情報、及び備考等が選曲番号毎に記憶されている。
【００３８】
図５は、前記カラオケ選曲入力装置１００のＣＰＵ１１２に備えられた制御機能の要部を説明する機能ブロック線図である。なお、以下に詳述する図５に示す各種制御機能が、前記電子早見本装置２２のＣＰＵに機能的に備えられたものであってもよい。斯かる態様においては、前記電子早見本装置２２が本実施例のカラオケ選曲入力装置として機能する。以下、専ら図５に示す各種制御機能が前記カラオケ選曲入力装置１００のＣＰＵ１１２に備えられた態様について説明する。
【００３９】
図５に示す早見本映像表示制御手段１３０は、前記タッチパネルディスプレイ１０２に、前記カラオケ装置１６に対する選曲入力のための早見本映像１４０を表示させる。具体的には、上記演奏曲データベース１２８に記憶された情報に基づいて、前記カラオケ装置１６において演奏し得る（選曲可能である）演奏曲を一覧できる紙媒体早見本（アナログ早見本）を模した立体的な早見本映像を、例えば前記映像出力制御部３２により出力させて前記タッチパネルディスプレイ１０２（表示装置１０４）に表示させる。
【００４０】
図６及び図７は、本実施例の早見本映像表示制御手段１３０により前記タッチパネルディスプレイ１０２（表示装置１０４）に表示される早見本映像１４０を例示する図であり、図６はアプリケーションソフト起動時等においてその早見本映像１４０が閉じられている様子を、図７はその早見本映像１４０における所定の頁（図７では第１１３頁）が開かれている様子をそれぞれ示している。図６及び図７に示すように、本実施例の早見本映像１４０は、複数の頁（中身）１４２が一辺に設けられた背１４４において綴じられた、それら複数の頁１４２に前記演奏曲の選曲入力に関する情報を５０音順に記載する本（装本）に相当する映像である。また、図６に示すように、上記早見本映像１４０は、好適には、上記複数の頁１４２における上記背１４４と対向する側の一辺すなわち表紙及び背表紙が設けられておらずそれら複数の頁１４２が露出（突出）している端辺（背表紙と平行を成す面）１４６の厚みが視認できるように表現されている。換言すれば、上記背１４４と対向する側の端辺１４６において上記複数の頁１４２それぞれにおける端が視認できるように表現されている。
【００４１】
また、上記早見本映像表示制御手段１３０は、前記タッチパネルディスプレイ１０２（タッチパネル１０８）による前記早見本映像１４０における上記頁１４２に相当する部分に対する接触操作に応じて、その頁１４２が順次めくられてゆくように前記早見本映像１４０を変化させる表示制御を行う。例えば、その早見本映像１４０に対してあたかも紙媒体早見本の頁をめくるような操作を行った場合に、前記頁１４２が順次めくられてゆくように映像を変化させる。すなわち、前記タッチパネルディスプレイ１０２（タッチパネル１０８）を介して、前記早見本映像１４０における各頁１４２に対応する部分（すなわち頁１４２の一部）に指やペン等による接触が行われ、その接触が保たれたまま（タッチパネル１０８に接触したまま）接触点を所定方向に移動させるスライド操作に応じて、前記早見本映像１４０における頁１４２を１頁単位で（１頁ずつ）めくってゆく表示制御を行う。
【００４２】
例えば、図７に示す例においては、第１１３頁に相当する頁１４２が表示されており、この頁１４２の一部に接触が行われ、その接触が保たれたまま接触点が紙面向かって右側から左側へ移動させる操作が行われた場合、次の頁である第１１４頁に相当する頁１４２が表示されるように映像が変更される。また、図７に示す頁１４２の一部に接触が行われ、その接触が保たれたまま接触点が紙面向かって左側から右側へ移動させる操作が行われた場合、前の頁である第１１２頁に相当する頁１４２が表示されるように映像が変更される。なお、図７においては奇数頁である第１１３頁が表示されているため、前記早見本映像１４０は見開きの右半分が前記タッチパネルディスプレイ１０２（表示装置１０４）の画面内に収まるように表示されているが、偶数頁である第１１２頁乃至第１１４頁が表示される場合、前記早見本映像１４０は見開きの左半分が画面内に収まるように表示される。すなわち、本実施例において、前記早見本映像１４０における偶数頁が表示される際にはその見開きの左半分が、奇数頁が表示される際にはその見開きの右半分が前記タッチパネルディスプレイ１２の画面内に収まるように表示が制御される。また、前記タッチパネルディスプレイ１０２（表示装置１０４）が横長の構成をとる場合すなわち縦方向寸法よりも横方向寸法が長い場合等において、前記早見本映像１４０の見開き両頁が画面内に収まるようにその表示制御を行う態様も考えられる。
【００４３】
また、前記早見本映像表示制御手段１３０は、好適には、前記早見本映像１４０における前記背１４４と対向する側の端辺１４６に相当する部分に対する接触操作に応じて、前記複数の頁１４２が所定頁ずつまとめてめくられるように前記早見本映像１４０を変化させる表示制御を行う。例えば、図６等に示す端辺１４６の一部に接触が行われ、その接触が保たれたまま接触点が紙面向かって右側から左側へ移動させるスライド操作が行われた場合、接触点が最初に置かれた位置に応じて複数の頁１４２がまとめてめくられるように映像が変更される。好適には、前記端辺１４６における接触点が最初に置かれた位置の、その端辺１４６の幅方向座標に基づいて、めくられる頁数が比例的に変化させられる。すなわち、前記端辺１４６に対する右側から左側へのスライド操作に関して、前記早見本映像１４０の表（おもて）表紙１４８に近い位置ほどめくる頁数が少なく、図示しない裏表紙に近い位置ほどめくる枚数が多くなるように上記表示制御を行う。
【００４４】
また、図７に示すように、前記早見本映像１４０における各頁１４２には、選曲対象となる演奏曲の選曲入力に関する情報として、各演奏曲の曲名、アーティスト名（歌手名）、及び歌い出しの歌詞等のテキスト情報が演奏曲毎に項目分けされて記載（表示）される。それらの情報は、よく知られた紙媒体早見本と同様に、曲名検索頁（曲名に基づいて演奏曲を選ぶ部分）では曲名の５０音順に、歌手名検索頁（曲名に基づいて演奏曲を選ぶ部分）では歌手名（アーティスト名）の５０音順に各演奏曲に対応する情報が記載される。また、図７に人差し指を立てた手部の記号で示すように、各演奏曲（項目）に対応して選曲ボタン１５０が個別に設けられている。なお、前記早見本映像１４０における各頁１４２は、紙媒体早見本の各頁をイメージスキャナ等の装置により例えばＰＤＦ（Portable Document Format）等の形式で取り込み、その各頁における項目に上記選曲ボタン１５０を付与することにより構成されるものであってもよい。
【００４５】
図５に示す選曲入力制御手段１３２は、前記早見本映像表示制御手段１３０により前記タッチパネルディスプレイ１０２（表示装置１０４）に表示された前記早見本映像１４０における前記頁１４２の一部に対する接触操作に応じて、前記カラオケ装置１６に対してその頁１４２に記載された演奏曲の選曲入力を行う。好適には、前記頁１４２における各演奏曲に対応する項目毎に表示された上記選曲ボタン１５０に対する接触操作に応じて、その選曲ボタン１５０に対応する演奏曲を選曲入力するための送信を行う。この選曲入力は、好適には、前記赤外線送信部１２０を介して赤外線信号により行われる。また、好適には、前記通信部１２２を介して行われるものであってもよい。なお、前記早見本映像１４０の頁１４２をめくる操作時に誤って上記選曲ボタン１５０に接触して選曲入力が行われることを防止するために、前記タッチパネル１０８に対して上述のスライド操作が行われた場合には上記選曲入力制御手段１３２による選曲入力を非実行とすることが好ましい。
【００４６】
利用者情報取得制御手段１３４は、前記カラオケ装置１６を用いてカラオケ演奏を行う利用者毎に個別の情報を記憶する前記ＳＮＳデータベース８６から前記通信回線１８を介して情報を取得する。好適には、前記カラオケ選曲入力装置１００は、その利用主体となる利用者のユーザＩＤと予め関連付けられており、上記利用者情報取得制御手段１３４は、例えば前記カラオケ選曲入力装置１００乃至早見本映像１４０を表示させるアプリケーションソフトの起動時に、利用主体となる利用者に対応して前記ＳＮＳデータベース８６に記憶された共演募集、演奏予約、選曲履歴、入曲リクエスト、及び携帯型音楽プレイヤに対する入曲履歴等の情報を前記通信回線１８を介してダウンロードする。また、好適には、前記カラオケ選曲入力装置１００乃至早見本映像１４０を表示させるアプリケーションソフトの起動時に、利用主体となる利用者のユーザＩＤを入力可能とし、入力されたユーザＩＤに対応して前記ＳＮＳデータベース８６に記憶された上記各種情報を前記通信回線１８を介してダウンロードするものであってもよい。
【００４７】
図５に示すように、前記早見本映像表示制御手段１３０は、好適には、付箋映像表示制御手段１３６を備えている。この付箋映像表示制御手段１３６は、上記利用者情報取得制御手段１３４により取得される、前記ＳＮＳデータベース８６に記憶された各利用者毎の情報に応じて、前記タッチパネルディスプレイ１０２（表示装置１０４）に表示された前記早見本映像１４０における各頁１４２の端辺であって前記背１４４ではない一辺に付箋映像１５２を表示させる。好適には、その背１４４と対向する前記端辺１４６にその付箋映像１５２を表示させる。この付箋映像１５２とは、付箋すなわち目印等のために例えば本の頁等に一部を露出させた状態で貼り付ける小さな紙片を模した映像であり、前記早見本映像１４０に付随する映像乃至その早見本映像１４０の一部として、例えば前記映像出力制御部３２により出力されて前記タッチパネルディスプレイ１０２（表示装置１０４）に表示されるものである。
【００４８】
図８は、図６に示す早見本映像１４０に複数（図８では５つ）の付箋映像１５２ａ、１５２ｂ、１５２ｃ、１５２ｄ、１５２ｅ（以下、特に区別しない場合には単に付箋映像１５２という）が付された映像を例示する図である。この図８に示すように、上記付箋映像表示制御手段１３６は、好適には、前記ＳＮＳデータベース８６に記憶された各利用者毎の情報に応じて、対象となる付箋映像１５２を表示させる元となった情報に対応する頁１４２の端辺に一部を露出（突出）させた状態で貼り付けられたように表示させる。好適には、元となった情報が所定の演奏曲に係るものである場合に、その演奏曲を選曲するための情報を記載する頁１４２（端辺１４６におけるその頁１４２に相当する厚み位置）の端辺に一部を露出させた状態で対応する付箋映像１５２を表示させる。
【００４９】
また、前記早見本映像表示制御手段１３０は、好適には、前記タッチパネルディスプレイ１０２（表示装置１０４）に表示された前記付箋映像１５２に対応する部分対する接触操作（タッチパネル１０８により入力される接触入力操作）に応じて、その付箋映像１５２を表示させる元となった情報に対応する頁１４２を表示させるように前記早見本映像１４０を変化させる表示制御を行う。好適には、対象となる付箋映像１５２を表示させる元となった情報が所定の演奏曲に係るものである場合に、その付箋映像１５２に対応する部分対する接触操作に応じて、その演奏曲を選曲するための情報を記載する頁１４２を表示させるように前記早見本映像１４０を変化させる表示制御を行う。
【００５０】
すなわち、前記付箋映像表示制御手段１３６は、好適には、前記ＳＮＳデータベース８６に各利用者毎に記憶された、前記カラオケ装置１６によりカラオケ演奏可能な演奏曲に関する情報に応じて前記付箋映像１５２を表示させるものであり、前記早見本映像表示制御手段１３０は、好適には、前記タッチパネルディスプレイ１０２（タッチパネル１０８）による前記付箋映像１５２に対する接触操作に応じて、その付箋映像１５２に対応する情報に係る演奏曲の選曲入力に関する情報を記載する頁１４２を表示させるように前記早見本映像１４０を変化させる。以下、斯かる早見本映像表示制御手段１３０及び付箋映像表示制御手段１３６による制御の具体例について詳しく説明する。
【００５１】
前記付箋映像表示制御手段１３６は、好適には、前記ＳＮＳデータベース８６に記憶された各利用者毎の共演募集情報に応じて前記付箋映像１５２を表示させるものであり、前記早見本映像表示制御手段１３０は、前記タッチパネルディスプレイ１０２による前記付箋映像１５２に対する接触操作に応じて前記共演募集情報に係る演奏曲の選曲入力に関する情報を記載する頁１４２を表示させるように前記早見本映像１４０を変化させる。例えば、前記ＳＮＳデータベース８６において、前記カラオケ選曲入力装置１００の利用主体である利用者のフレンドとして登録された利用者に対応する共演募集に係る演奏曲、すなわちそのフレンドである利用者が前記カラオケシステム１０を利用する他の利用者に対して共演動画（コラボ動画）に係るカラオケ演奏への参加を呼びかけている演奏曲に対応して前記付箋映像１５２を表示させると共に、その付箋映像１５２に対する接触操作に応じて上記共演募集に係る演奏曲の選曲入力に関する情報を記載する頁１４２を表示させるように前記早見本映像１４０を変化させる。また、好適には、前記ＳＮＳデータベース８６において、前記カラオケ選曲入力装置１００の利用主体である利用者に対応して演奏予約乃至選曲履歴として記憶されている演奏曲であり、且つ任意の利用者に対応する共演募集に係る演奏曲が存在する場合には、その演奏曲に対応して前記付箋映像１５２を表示させると共に、その付箋映像１５２に対する接触操作に応じて上記共演募集に係る演奏曲の選曲入力に関する情報を記載する頁１４２を表示させるように前記早見本映像１４０を変化させる等の態様も考えられる。
【００５２】
また、前記付箋映像表示制御手段１３６は、好適には、前記ＳＮＳデータベース８６に記憶された各利用者毎の演奏予約情報に応じて前記付箋映像１５２を表示させるものであり、前記早見本映像表示制御手段１３０は、前記タッチパネルディスプレイ１０２による前記付箋映像１５２に対する接触操作に応じて前記演奏予約情報に係る演奏曲の選曲入力に関する情報を記載する頁１４２を表示させるように前記早見本映像１４０を変化させる。例えば、前記ＳＮＳデータベース８６において、前記カラオケ選曲入力装置１００の利用主体である利用者に対応する演奏予約に係る演奏曲、すなわちその利用者が前記カラオケ装置１６により近い将来に演奏する曲として登録した選曲予約（電子早見本装置２２等により簡単な操作で選曲入力を行い得るように設定された演奏曲）としての演奏曲に対応して前記付箋映像１５２を表示させると共に、その付箋映像１５２に対する接触操作に応じて上記選曲予約としての演奏曲の選曲入力に関する情報を記載する頁１４２を表示させるように前記早見本映像１４０を変化させる。
【００５３】
また、前記付箋映像表示制御手段１３６は、好適には、前記ＳＮＳデータベース８６に記憶された各利用者毎の選曲履歴情報に応じて前記付箋映像１５２を表示させるものであり、前記早見本映像表示制御手段１３０は、前記タッチパネルディスプレイ１０２による前記付箋映像１５２に対する接触操作に応じて前記選曲履歴情報に係る演奏曲の選曲入力に関する情報を記載する頁１４２を表示させるように前記早見本映像１４０を変化させる。例えば、前記ＳＮＳデータベース８６において、前記カラオケ選曲入力装置１００の利用主体である利用者に対応する選曲履歴に係る演奏曲、すなわちその利用者が過去に前記カラオケ装置１６によるカラオケ演奏において選曲した演奏曲（カラオケ装置１６において過去に選曲された演奏曲）に対応して前記付箋映像１５２を表示させると共に、その付箋映像１５２に対する接触操作に応じて上記選曲履歴としての演奏曲の選曲入力に関する情報を記載する頁１４２を表示させるように前記早見本映像１４０を変化させる。
【００５４】
また、前記付箋映像表示制御手段１３６は、好適には、前記ＳＮＳデータベース８６に記憶された各利用者毎の入曲リクエスト情報に応じて前記付箋映像１５２を表示させるものであり、前記早見本映像表示制御手段１３０は、前記タッチパネルディスプレイ１０２による前記付箋映像１５２に対する接触操作に応じて前記入曲リクエスト情報に対応する演奏曲の選曲入力に関する情報を記載する頁１４２を表示させるように前記早見本映像を変化させる。例えば、前記ＳＮＳデータベース８６において、前記カラオケ選曲入力装置１００の利用主体である利用者に対応する入曲リクエストに係る演奏曲、すなわちその利用者が前記カラオケ装置１６への新規登録曲（新曲）としてリクエスト（入曲されることを支持する投票を行った）した演奏曲に対応して前記付箋映像１５２を表示させると共に、その付箋映像１５２に対する接触操作に応じて上記入曲リクエストを行った演奏曲の選曲入力に関する情報を記載する頁１４２を表示させるように前記早見本映像１４０を変化させる。
【００５５】
また、前記付箋映像表示制御手段１３６は、好適には、前記ＳＮＳデータベース８６に記憶された各利用者毎の携帯型音楽プレイヤに対する入曲履歴情報に応じて前記付箋映像１５２を表示させるものであり、前記早見本映像表示制御手段１３０は、前記タッチパネルディスプレイ１０２による前記付箋映像１５２に対する接触操作に応じて前記入曲履歴情報に対応する演奏曲の選曲入力に関する情報を記載する頁１４２を表示させるように前記早見本映像１４０を変化させる。例えば、前記ＳＮＳデータベース８６において、前記カラオケ選曲入力装置１００の利用主体である利用者に対応する携帯型音楽プレイヤに対する入曲履歴に係る演奏曲、すなわちその利用者に対して配信（ダウンロード）された携帯電話機の着信メロディ情報や携帯型音楽プレイヤのコンテンツ（例えばＭＰ３データ等の音楽データ）の配信履歴（ダウンロード履歴）に関して、その入曲履歴に対応する演奏曲が前記カラオケ装置１６によるカラオケ演奏可能な演奏曲（楽曲データ）として存在する場合には、その演奏曲に対応して前記付箋映像１５２を表示させると共に、その付箋映像１５２に対する接触操作に応じて上記入曲履歴に対応する演奏曲の選曲入力に関する情報を記載する頁１４２を表示させるように前記早見本映像１４０を変化させる。
【００５６】
また、前記付箋映像表示制御手段１３６は、好適には、前記ＳＮＳデータベース８６に記憶された各利用者毎の十八番曲情報に応じて前記付箋映像１５２を表示させるものであり、前記早見本映像表示制御手段１３０は、前記タッチパネルディスプレイ１０２による前記付箋映像１５２に対する接触操作に応じて前記十八番曲情報に係る演奏曲の選曲入力に関する情報を記載する頁１４２を表示させるように前記早見本映像１４０を変化させる。例えば、前記ＳＮＳデータベース８６において、前記カラオケ選曲入力装置１００の利用主体である利用者に対応する十八番曲に係る演奏曲、すなわちその利用者が前記カラオケ装置１６によるカラオケ演奏において十八番曲として登録した演奏曲（簡易な操作により選曲入力を行い得るように設定された演奏曲）に対応して前記付箋映像１５２を表示させると共に、その付箋映像１５２に対する接触操作に応じて上記十八番曲としての演奏曲の選曲入力に関する情報を記載する頁１４２を表示させるように前記早見本映像１４０を変化させる。
【００５７】
また、前記付箋映像表示制御手段１３６は、好適には、前記付箋映像１５２を表示させる元となった情報の種類を示す記号等を各付箋映像１５２に付加的に表示させる。図９は、図６に示す早見本映像１４０に、それぞれ元となった情報の種類を示す記号を付した複数（図９では５つ）の付箋映像１５４ａ、１５４ｂ、１５４ｃ、１５４ｄ、１５４ｅ（以下、特に区別しない場合には単に付箋映像１５４という）が付された映像を例示する図である。この図９に示す例では、上記付箋映像１５４ａを表示させる元となった情報が選曲履歴であることを示す文字「履」がその付箋映像１５４ａに付加的に表示されている。また、上記付箋映像１５４ｂを表示させる元となった情報がフレンドの共演募集であることを示す文字「友」がその付箋映像１５４ｂに付加的に表示されている。また、上記付箋映像１５４ｃを表示させる元となった情報が入曲リクエストであることを示す文字「リ」がその付箋映像１５４ｃに付加的に表示されている。また、上記付箋映像１５４ｄを表示させる元となった情報が携帯型音楽プレイヤに対する入曲履歴であることを示す文字「携」がその付箋映像１５４ｄに付加的に表示されている。また、上記付箋映像１５４ｅを表示させる元となった情報が演奏予約であることを示す文字「予」がその付箋映像１５４ｅに付加的に表示されている。なお、図９に示す例では、それぞれの付箋映像１５４を表示させる元となった情報を示す文字を付加表示しているが、例えば元となった情報が選曲履歴である場合には青色の付箋、演奏予約である場合には赤色の付箋というように、前記付箋映像１５４を表示させる元となった情報の種類に応じて各付箋映像１５４を色分け表示する等の態様も考えられる。
【００５８】
また、前記早見本映像表示制御手段１３０により表示される早見本映像１４０は、好適には、複数の利用者を利用主体としてその時点における利用主体（アクティブ）である利用者を切り替えつつ用いられるものである。また、前記付箋映像表示制御手段１３６は、好適には、前記早見本映像１４０の利用に係る複数の利用者それぞれに対応して前記付箋映像１５２を表示させると共に、それら付箋映像１５２を表示させる元となった情報に対応する利用者を示す記号等を各付箋映像１５２に付加的に表示させる。図１０は、図６に示す早見本映像１４０に、それぞれ元となった情報に対応する利用者のアバタの顔部分を付した複数（図１０では５つ）の付箋映像１５６ａ、１５６ｂ、１５６ｃ、１５６ｄ、１５６ｅ（以下、特に区別しない場合には単に付箋映像１５６という）が付された映像を例示する図である。この図１０に示すように、前記付箋映像表示制御手段１３６は、好適には、前記早見本映像１４０の利用に係る複数の利用者それぞれに対応して前記付箋映像１５６を表示させると共に、それら付箋映像１５６を表示させる元となった情報に対応する利用者のアバタの一部（好適には顔部分）を各付箋映像１５６に付加的に表示させる。また、好適には、例えば元となった情報が利用者Ａに対応するものである場合には青色の付箋、利用者Ｂに対応するものである場合には赤色の付箋というように、前記付箋映像１５６を表示させる元となった情報に対応する利用者に応じて各付箋映像１５６を色分け表示する等の態様も考えられる。
【００５９】
また、前記付箋映像表示制御手段１３６は、好適には、前記タッチパネルディスプレイ１０２による前記付箋映像１５２に対する接触操作に応じて、その付箋映像１５２を表示させる元となった情報をその付箋映像１５２に付加的に表示させるように映像を変化させる。例えば、図１１に示すように、前記タッチパネルディスプレイ１０２（表示装置１０４）に表示された前記付箋映像１５２ａに対応する部分に対する接触が行われ、その接触が保たれたまま（タッチパネル１０８に接触したまま）接触点を所定方向（例えば、図１１に示す例では紙面向かって左側から右側へと向かう方向）に移動させるスライド操作に応じて、前記付箋映像１５２ａが早見本映像１４０から引き出されるようにその表示を制御すると共に、その付箋映像１５２ａを表示させる元となった情報が利用者「タカさん」の「選曲履歴」に係る演奏曲であることを示す「タカさんの履歴」というテキスト情報をその付箋映像１５２ａに付加的に表示させる。
【００６０】
図１２は、前記カラオケ選曲入力装置１００のＣＰＵ１１２による早見本映像表示制御及び選曲入力制御の要部を説明するフローチャートであり、所定の周期で繰り返し実行されるものである。
【００６１】
先ず、ステップ（以下、ステップを省略する）Ｓ１において、前記タッチパネルディスプレイ１０２に前記早見本映像１４０を表示させるアプリケーションソフトが起動されたか否かが判断される。このＳ１の判断が否定される場合には、それをもって本ルーチンが終了させられるが、Ｓ１の判断が肯定される場合には、Ｓ２において、前記カラオケ選曲入力装置１００の利用主体である利用者に対応して前記ＳＮＳデータベース８６に記憶された共演募集、演奏予約、選曲履歴、入曲リクエスト、及び携帯型音楽プレイヤに対する入曲履歴等の情報が前記通信回線１８を介してダウンロードされる。次に、Ｓ３において、前記タッチパネルディスプレイ１０２に、複数の頁１４２が一辺に設けられた背１４４において綴じられた、それら複数の頁１４２に前記演奏曲の選曲入力に関する情報を５０音順に記載する早見本映像１４０が表示されると共に、Ｓ２にて取得された、前記ＳＮＳデータベース８６に記憶された各利用者毎の情報に応じて、斯かる早見本映像１４０における各頁１４２の端辺であって前記背１４４ではない一辺に付箋映像１５２等が表示される。
【００６２】
次に、Ｓ４において、前記タッチパネルディスプレイ１０２に表示された早見本映像１４０における前記頁１４２に相当する部分に対して、その頁１４２をめくる操作に対応する前記スライド操作等が行われたか否かが判断される。このＳ４の判断が否定される場合には、Ｓ６以下の処理が実行されるが、Ｓ４の判断が肯定される場合には、Ｓ５において、前記タッチパネルディスプレイ１０２に表示された早見本映像１４０における前記頁１４２が順次めくられてゆくように前記早見本映像１４０の表示が変化させられた後、Ｓ６において、前記タッチパネルディスプレイ１０２による前記付箋映像１５２等に相当する部分に対する接触操作が行われたか否かが判断される。このＳ６の判断が否定される場合には、Ｓ８以下の処理が実行されるが、Ｓ６の判断が肯定される場合には、Ｓ７において、接触操作が行われた前記付箋映像１５２等を表示させる元となった情報に対応する頁１４２を表示させるように前記早見本映像１４０の表示が変化させられた後、Ｓ８以下の処理が実行される。
【００６３】
Ｓ８においては、前記タッチパネルディスプレイ１０２に表示された前記早見本映像１４０における前記頁１４２の一部である例えば前記選曲ボタン１５０に対する接触操作が行われたか否かが判断される。このＳ８の判断が否定される場合には、Ｓ１０以下の処理が実行されるが、Ｓ８の判断が肯定される場合には、Ｓ９において、前記赤外線送信部１２０等により前記カラオケ装置１６に対して、接触操作が行われた選曲ボタン１５０に対応する演奏曲の選曲入力が行われた後、Ｓ１０において、前記タッチパネルディスプレイ１０２に前記早見本映像１４０を表示させるアプリケーションソフトが終了させられたか否かが判断される。このＳ１０の判断が否定される場合には、Ｓ４以下の処理が再び実行されるが、Ｓ１０の判断が肯定される場合には、Ｓ１１において、アプリケーションが終了させられて前記タッチパネルディスプレイ１０２から前記早見本映像１４０及び付箋映像１５２等が消去させられた後、本ルーチンが終了させられる。以上の制御において、Ｓ１〜Ｓ１１が前記早見本映像表示制御手段１３０の動作に、Ｓ９が前記選曲入力制御手段１３２の動作に、Ｓ２が前記利用者情報取得制御手段１３４の動作に、Ｓ３が前記付箋映像表示制御手段１３６の動作に、それぞれ対応する。
【００６４】
このように、本実施例によれば、前記タッチパネルディスプレイ１０２に、複数の頁１４２が一辺に設けられた背１４４において綴じられた、それら複数の頁１４２に前記演奏曲の選曲入力に関する情報を５０音順に記載する早見本映像１４０を表示させると共に、前記タッチパネルディスプレイ１０２によるその早見本映像１４０における前記頁１４２に相当する部分に対する接触操作に応じてその頁１４２が順次めくられてゆくように前記早見本映像１４０を変化させる早見本映像表示制御手段１３０（Ｓ１〜Ｓ１１）と、その早見本映像表示制御手段１３０により前記タッチパネルディスプレイ１０２に表示された前記早見本映像１４０における前記頁１４２の一部に対する接触操作に応じて、前記カラオケ装置１６に対してその頁１４２に記載された演奏曲の選曲入力を行う選曲入力制御手段１３２（Ｓ９）とを、備えたものであることから、頁を一枚一枚めくることによる紙媒体早見本ならではの利点と、選曲番号を入力する手間無しに選曲入力が可能である電子早見本装置の利便性とを両立させることができる。すなわち、紙媒体早見本の利点と電子早見本装置の利便性とを併せ持つ新たなカラオケ選曲入力装置１００を提供することができる。
【００６５】
また、前記カラオケ装置１６を用いてカラオケ演奏を行う利用者毎に個別の情報を記憶するＳＮＳデータベース８６から所定の通信回線１８を介して情報を取得する利用者情報取得制御手段１３４（Ｓ２）と、その利用者情報取得制御手段１３４により取得される、前記ＳＮＳデータベース８６に記憶された各利用者毎の情報に応じて、前記タッチパネルディスプレイ１０２に表示された前記早見本映像１４０における各頁１４２の端辺であって前記背１４４ではない一辺すなわち端辺１４６に付箋映像１５２等を表示させる付箋映像表示制御手段１３６（Ｓ３）とを、備え、前記早見本映像表示制御手段１３０は、前記タッチパネルディスプレイ１０２による前記付箋映像１５２等に対する接触操作に応じてその付箋映像１５２等を表示させる元となった情報に対応する頁１４２を表示させるように前記早見本映像１４０を変化させるものであるため、頁を一枚一枚めくることによる紙媒体早見本ならではの利点を損なうことなく、前記ＳＮＳデータベース８６から読み出される利用者毎の情報に応じて所定の頁を即座に開く利便性を付与することができる。
【００６６】
また、前記付箋映像表示制御手段１３６は、前記ＳＮＳデータベース８６に記憶された各利用者毎の共演募集情報に応じて前記付箋映像１５２等を表示させるものであり、前記早見本映像表示制御手段１３０は、前記タッチパネルディスプレイ１０２による前記付箋映像１５２等に対する接触操作に応じて前記共演募集情報に係る演奏曲の選曲入力に関する情報を記載する頁１４２を表示させるように前記早見本映像１４０を変化させるものであるため、頁を一枚一枚めくることによる紙媒体早見本ならではの利点を損なうことなく、前記データベースから読み出される共演を募集している演奏曲を記載する頁を即座に開く利便性を付与することができる。
【００６７】
また、前記付箋映像表示制御手段１３６は、前記ＳＮＳデータベース８６に記憶された各利用者毎の演奏予約情報に応じて前記付箋映像１５２等を表示させるものであり、前記早見本映像表示制御手段１３０は、前記タッチパネルディスプレイ１０２による前記付箋映像１５２等に対する接触操作に応じて前記演奏予約情報に係る演奏曲の選曲入力に関する情報を記載する頁１４２を表示させるように前記早見本映像１４０を変化させるものであるため、頁を一枚一枚めくることによる紙媒体早見本ならではの利点を損なうことなく、前記データベースから読み出される各利用者が演奏しようと思って予約しておいた演奏曲を記載する頁を即座に開く利便性を付与することができる。
【００６８】
また、前記付箋映像表示制御手段１３６は、前記ＳＮＳデータベース８６に記憶された各利用者毎の選曲履歴情報に応じて前記付箋映像１５２等を表示させるものであり、前記早見本映像表示制御手段１３０は、前記タッチパネルディスプレイ１０２による前記付箋映像１５２等に対する接触操作に応じて前記選曲履歴情報に係る演奏曲の選曲入力に関する情報を記載する頁１４２を表示させるように前記早見本映像を変化させるものであるため、頁を一枚一枚めくることによる紙媒体早見本ならではの利点を損なうことなく、前記データベースから読み出される各利用者が過去に演奏したことがある演奏曲を記載する頁を即座に開く利便性を付与することができる。
【００６９】
また、前記付箋映像表示制御手段１３６は、前記ＳＮＳデータベース８６に記憶された各利用者毎の入曲リクエスト情報に応じて前記付箋映像１５２等を表示させるものであり、前記早見本映像表示制御手段１３０は、前記タッチパネルディスプレイ１０２による前記付箋映像１５２等に対する接触操作に応じて前記入曲リクエスト情報に対応する演奏曲の選曲入力に関する情報を記載する頁１４２を表示させるように前記早見本映像１４０を変化させるものであるため、頁を一枚一枚めくることによる紙媒体早見本ならではの利点を損なうことなく、前記データベースから読み出される各利用者が入曲リクエストを行った演奏曲を記載する頁を即座に開く利便性を付与することができる。
【００７０】
また、前記付箋映像表示制御手段１３６は、前記ＳＮＳデータベース８６に記憶された各利用者毎の携帯型音楽プレイヤに対する入曲履歴情報に応じて前記付箋映像１５２等を表示させるものであり、前記早見本映像表示制御手段１３０は、前記タッチパネルディスプレイ１０２による前記付箋映像１５２等に対する接触操作に応じて前記入曲履歴情報に対応する演奏曲の選曲入力に関する情報を記載する頁１４２を表示させるように前記早見本映像を変化させるものであるため、頁を一枚一枚めくることによる紙媒体早見本ならではの利点を損なうことなく、前記データベースから読み出される各利用者が携帯型音楽プレイヤに入曲した演奏曲を記載する頁を即座に開く利便性を付与することができる。
【００７１】
また、本実施例によれば、前記カラオケ装置１６の遠隔操作装置として用いられる電子書籍リーダとしての前記カラオケ選曲入力装置１００におけるコンピュータすなわちＣＰＵ１１２を、前記タッチパネルディスプレイ１０２に、複数の頁１４２が一辺に設けられた背１４４において綴じられた、それら複数の頁１４２に前記演奏曲の選曲入力に関する情報を５０音順に記載する早見本映像１４０を表示させると共に、前記タッチパネルディスプレイ１０２によるその早見本映像１４０における前記頁１４２に相当する部分に対する接触操作に応じてその頁１４２が順次めくられてゆくように前記早見本映像１４０を変化させる早見本映像表示制御手段１３０、及び、その早見本映像表示制御手段１３０により前記タッチパネルディスプレイ１０２に表示された前記早見本映像１４０における前記頁１４２の一部に対する接触操作に応じて、前記カラオケ装置１６に対してその頁１４２に記載された演奏曲の選曲入力を行う選曲入力制御手段１３２として機能させることを特徴とするカラオケ選曲入力プログラムであることから、頁を一枚一枚めくることによる紙媒体早見本ならではの利点と、選曲番号を入力する手間無しに選曲入力が可能である電子早見本装置の利便性とを両立させることができる。すなわち、紙媒体早見本の利点と電子早見本装置の利便性とを併せ持つ新たなカラオケ選曲入力プログラムを提供することができる。
【００７２】
以上、本発明の好適な実施例を図面に基づいて詳細に説明したが、本発明はこれに限定されるものではなく、更に別の態様においても実施される。
【００７３】
例えば、前述の実施例において、前記付箋映像表示制御手段１３６は、前記カラオケ選曲入力装置１００の利用主体である利用者に対応して前記ＳＮＳデータベース８６に記憶された共演募集、演奏予約、選曲履歴、入曲リクエスト、及び携帯型音楽プレイヤに対する入曲履歴等の情報に基づいて前記付箋映像１５２等を表示させるものであったが、本発明はこれに限定されるものではなく、例えば、前記ＳＮＳデータベース８６に記憶された全利用者の間で前記カラオケ装置１６に対してその日最も多く選曲された演奏曲（ベストヒット曲）に応じて前記付箋映像１５２等を表示させるものであってもよい。また、前記早見本映像１４０の表示に際して、利用主体である利用者により所定の頁１４２が開かれた後、予め定められた規定時間以上経過した場合には、その頁１４２に対応して前記付箋映像１５２等を表示させる等の態様も考えられる。
【００７４】
また、前述の実施例において、前記付箋映像表示制御手段１３６は、前記早見本映像１４０における各頁１４２の端辺であって前記背１４４ではない一辺に前記付箋映像１５２等を表示させるものであったが、比較的大きめの付箋映像を前記早見本映像１４０における各頁１４２の紙面内に表示させると共に、その付箋映像に対してフリードローによる描画情報の入力（タッチパネル１０８に対する接触を維持したままその接触点を移動させた場合における移動軌跡に対応する情報の入力）を可能とするものであってもよい。更に、斯かる態様において、ログアウトにより上記描画情報を消去する一方、その描画情報を前記ＳＮＳデータベース８６に利用主体となる利用者に対応する情報として記憶させ、次回の起動時にその描画情報を読み出して前記早見本映像１４０の一部に表示させる等の制御を行うものであってもよい。
【００７５】
また、前記早見本映像表示制御手段１３０は、単に前記タッチパネルディスプレイ１０２に前記早見本映像１４０を表示させるのみならず、その早見本映像１４０における所定の頁１４２、例えばシステム管理者側が特集を組んでいるアーティストや演奏曲に対応する頁１４２に対応して、所謂３Ｄ映像で飛び出す絵本のような広告を表示させるものであってもよい。更に、その飛び出してきた３Ｄ映像に対して前記タッチパネル１０８による接触操作が行われた場合、その３Ｄ映像に対応する詳しい情報が表示される等の制御を行うものであってもよい。
【００７６】
また、前述の実施例において、前記カラオケ選曲入力装置１００は、前記赤外線送信部１２０から送信される赤外線信号を介して前記カラオケ装置１６に対する選曲入力を行うものであったが、前記電子早見本装置２２と同様に、入力対象となるカラオケ装置１６との間で対応付け処理（くくりつけ処理）を行い、電波による無線通信により斯かる選曲入力を行うものであってもよいことは言うまでもない。更に、前述のように、本発明の早見本映像表示制御手段１３０及び選曲入力制御手段１３２等の機能を実現するアプリケーションソフトが前記電子早見本装置２２等に組み込まれたものであってもよい。
【００７７】
また、前述の実施例では特に言及していないが、前記早見本映像表示制御手段１３０は、前記早見本映像１４０の各頁１４２における表示に種々の付加的な映像効果を表示させるものであってもよい。例えば、前記付箋映像１５２等を表示させる元となった演奏曲を選曲するための情報を色替え表示させる等の表示制御を行うことで、利用者がその演奏曲を選曲し易くなるという利点がある。
【００７８】
その他、一々例示はしないが、本発明はその趣旨を逸脱しない範囲内において種々の変更が加えられて実施されるものである。
【符号の説明】
【００７９】
１６：カラオケ装置、１８：通信回線、８６：ＳＮＳデータベース、１００：カラオケ選曲入力装置（電子書籍リーダ）、１０２：タッチパネルディスプレイ、１３０：早見本映像表示制御手段、１３２：選曲入力制御手段、１３４：利用者情報取得制御手段、１３６：付箋映像表示制御手段、１４０：早見本映像、１４２：頁、１４４：背、１４６：端辺（一辺）、１５２、１５４、１５６：付箋映像
【図１】
0005537464.tif 000002
【図２】
0005537464.tif 000003
【図３】
0005537464.tif 000004
【図４】
0005537464.tif 000005
【図５】
0005537464.tif 000006
【図６】
0005537464.tif 000007
【図７】
0005537464.tif 000008
【図８】
0005537464.tif 000009
【図９】
0005537464.tif 000010
【図１１】
0005537464.tif 000011
【図１２】
0005537464.tif 000012
【図１０】
0005537464.tif 000013